(57)【要約】      （修正有）【課題】トンネル工事に於いて、セグメントによって形成されたセグメントトンネル内に作業用台車を移動させるためのレールの敷設を容易に行うためのトンネル内仮設用枕木を提供する。【解決手段】長尺の鋼製フラットプレートを側面がΓロシア字状になるように折り曲げ加工された枕木本体2の先端部をセグメント1の軸方向立ち上がり部12に引掛けられるように内方向に折り曲げた引掛け部を形成し、セグメント1の周方向立ち上がり部11に嵌着できるようにスリット部を設け、枕木本体2の脚部27の下端部に、セグメント周方向立ち上がり部11に嵌着できるようにスリット部を設け、枕木本体2の水平部にレールを固定するためのボルト挿通孔22を設けたことを特徴とするトンネル内仮設用枕木である。【選択図】図１
2005180155.tif 000002
【特許請求の範囲】
【請求項１】
長尺の鋼製フラットプレートを側面がΓロシア字状になるように折り曲げ加工された枕木本体の先端部を、セグメントの軸方向立ち上がり部に引掛けられるように内方向に折り曲げた引掛け部を形成し、セグメントの周方向立ち上がり部に嵌着できるようにスリット部を設け、枕木本体の脚部の下端部に、セグメント周方向立ち上がり部に嵌着できるようにスリット部を設け、枕木本体の水平部にレールを固定するためのボルト挿通孔を設けたことを特徴とするトンネル内仮設用枕木。
【請求項２】
鋼製の枕木本体の脚部と水平部とに三角形の鋼製の補強材が溶接されていることを特徴とする請求項１記載のトンネル内仮設用枕木。
【請求項３】
枕木本体をセグメントの任意の個所に着脱自在に構成したことを特徴とする請求項１記載のトンネル内仮設用枕木。
【発明の詳細な説明】
【技術分野】
【０００１】  本発明はトンネル内仮設用枕木に関し、特にトンネル工事に於いて、セグメントによって形成されたセグメントトンネル内に作業用台車を移動させるためのレールの敷設を容易に行うためのトンネル内仮設用枕木に関する。
【背景技術】
【０００２】  従来、トンネル工事に於いて、セグメントトンネル内にレールを仮設するために、例えば実公平７−８６３９号公報及び実公平７−２１６８０号公報等のような考案が提案されている。【０００３】  この方法は、前者の場合、トンネル内の内面に沿う円弧状に湾曲した当て板上に載せ板を一体的に固定したものであった。また、後者の場合も同様に、セグメントトンネルの内面に沿う円弧状の当て板にレール載せ部を一体的に形成するものであった。【０００４】
【実用新案文献１】
実公平７−８６３９号公報  実公平７−２１６８０号公報
【発明の開示】
【発明が解決しようとする課題】
【０００５】  前記せる従来の方法は、トンネル内の内面に沿う円弧状に湾曲した当て板上に載せ板を一体的に固定したものであるから、全体的に大型になり狭いトンネル内を移動してセグメントに取り付けるには搬送もやりづらく非常に作業性が悪いものであったので、トンネル内の搬送や取付けをやり易くする必要があった。
【課題を解決するための手段】
【０００６】  本発明は、前記せるような従来の課題を解決するために鋭意研究の結果、発明されたものであり、ひとつの当て板に一体的にレール載せ板を固定せず、セパレートタイプにしてしかも任意に着脱自在としたトンネル内仮設用枕木を提供するものである。【０００７】  すなわち、長尺の鋼製フラットプレートを側面がΓロシア字状になるように折り曲げ加工された枕木本体の先端部を、セグメントの軸方向立ち上がり部に引掛けられるように内方向に折り曲げた引掛け部を形成し、セグメントの周方向立ち上がり部に嵌着できるようにスリット部を設け、枕木本体の脚部の下端部に、セグメントの周方向立ち上がり部に嵌着できるようにスリット部を設け、枕木本体の水平部にレールを固定するためのボルト挿通孔を設けたことを特徴とし、構成の枕木本体の脚部と水平部とに三角形の鋼製の補強材を溶接したことを特徴とし、且つ、枕木本体をセグメントの任意の個所に着脱自在に構成したことを特徴とするトンネル内仮設用枕木である。
【発明の効果】
【０００８】  本発明のトンネル内仮設用枕木は、狭い場所でも移動し易く、セグメントへの取り付けが非常に容易で、取扱い安く、極めて作業性がよいので、トンネル内工事に於いて、セグメントによって形成されたセグメントトンネル内に作業用台車を移動させるためのレールの敷設を容易に行うことができる。
【発明を実施するための最良の形態】
【０００９】  以下、図面に基づいて、本発明を実施するための最良の形態を具体的に説明する。
図面に於いて、図１は本発明トンネル内仮設用枕木の取り付け状態を示す斜視図である。図２は本発明トンネル内仮設用枕木の側面図である。図３は図２の右側面図である。
【実施例】
【００１０】  図２に示すように、長尺の鋼製フラットプレートを側面がΓロシア字状になるように折り曲げ加工された枕木本体２の先端部を、セグメント１の軸方向立ち上がり部１２に引掛けられるように内方向に折り曲げた引掛け部２１が形成されている。【００１１】  したがって、図１に示すように、枕木本体２をセグメント１に取り付けるには、この引掛け部２１をセグメント１の軸方向立ち上がり部１２に引掛けるだけで取り付けることができる。【００１２】  また枕木本体２の先端部の引掛け部２１には、セグメント１の周方向立ち上がり部１１に嵌着できるようにスリット部２５が図３に示すように形成されているので、枕木本体２は取り付け後にガタツキが生じない。【００１３】  枕木本体２の脚部２７の下端部には、セグメント１の周方向立ち上がり部１１に嵌着できるようにスリット部２４が図３にしめすように設けられており、枕木本体２のセグメント１への取り付けは更に強固になる。また、スリット部２４をフチスナー、リブ等に嵌着させることによって更に安定して強固に取り付けることができる。【００１４】  枕木本体２の水平部２６には、レール３を固定するためのボルト挿通孔２２，２２が設けられており、レール３やレール３上を走行する台車の荷重に抗するために、枕木本体２の脚部２７と水平部２６とに三角形の鋼製の補強材２３，２３が溶接されている。【００１５】  したがって、本発明のトンネル内仮設用枕木は、枕木本体をセグメントの任意の個所に着脱自在に構成されているので、狭い場所でも移動し易く、セグメントへの取り付けが非常に容易で、取扱い安く、極めて作業性がよいので、トンネル内工事に於いて、セグメントによって形成されたセグメントトンネル内に作業用台車を移動させるためのレールの敷設を容易に行うことができる。
【産業上の利用可能性】
【００１６】  本発明のトンネル内仮設用枕木によれば、狭い場所でも移動し易く、セグメントへの取り付けが非常に容易で、取扱い安く、極めて作業性がよいので、トンネル内工事に於いて、セグメントによって形成されたセグメントトンネル内に作業用台車を移動させるためのレールの敷設を容易に行うことができるので、産業上の利用可能性の高いものである。
【図面の簡単な説明】
【００１７】
【図１】  本発明トンネル内仮設用枕木の取り付け状態を示す斜視図である。
【図２】  本発明トンネル内仮設用枕木の側面図である。
【図３】  図２の右側面図である。
【符号の説明】
【００１８】  １．  セグメント
１１．  周方向セグメント立ち上り部
１２．  軸方向セグメント立ち上り部
２．  枕木本体
２１．  引掛け部
２２．  ボルト挿通孔
２３．  補強材
２４．  スリット部
２５．  スリット部
２６．  水平部
２７．  脚部
３．  レール
【図１】
2005180155.tif 000003
【図２】
2005180155.tif 000004
【図３】
2005180155.tif 000005